(57)【要約】 【課題】  拡大倍率又は縮小倍率や複写紙のサイズが文字や数字が表示されても、ユーザが、表示された文字や数字から、複写物が原稿に対してどの程度の大きさになるのかを想像することは困難である。また、操作したキーが倍率を上げるキーか下げるキーかを瞬時に判断することはユーザにとって困難である。【解決手段】  本発明の画像形成装置は、ユーザが容易に原稿に対する複写物のサイズを把握できるように、原稿と複写物のサイズを比較することができる比較画像を液晶パネル等の表示手段に表示する。また、操作したキーが倍率を上げるキーか下げるキーかをユーザが瞬時に判断できるように、表示パネル等に操作したキーが倍率を上げるキーか下げるキーかユーザが判断できる画面を表示する。【選択図】図１   
2005144715.tif 000002
【特許請求の範囲】
【請求項１】
指定倍率で原稿を拡大又は縮小した複写画像を印刷したときの複写物と原稿の比較画像を上記原稿と上記複写物のサイズに基づいて生成する比較画像生成手段と、
上記比較画像を含む上記拡大又は縮小の確認画面を表示する表示制御手段と、
上記複写指示を受けると、上記複写画像の印刷を行う複写手段を備えたことを特徴とする画像形成装置。
【請求項２】
上記表示制御手段は、上記比較画像の上記原稿を表す画像と上記複写物を表す画像を異なる色で表示する請求項１に記載の画像形成装置。
【請求項３】
上記複写物に用いることができる複写紙のサイズを検知する複写紙検知手段を備え、
上記比較画像生成手段は、上記比較画像の上記複写物を表す画像は、上記複写物の複写紙のサイズのみを表す請求項１に記載の画像形成装置。
【請求項４】
拡大指示又は縮小指示に基づいて原稿のサイズを拡大又は縮小して複写紙に印刷する複写画像を生成する複写画像生成手段を備えた画像形成装置において、
上記拡大指示が指示されると、拡大指示を受けたことを示す拡大指示確認画面を生成し、上記縮小指示が指示されると、縮小指示を受けたことを示す縮小指示確認画面を生成する確認画面生成手段と、
上記拡大指示確認画面、又は上記縮小確認画面を表示する表示制御手段を備えたことを特徴とする画像形成装置。
【請求項５】
上記拡大指示確認画面は、基準原稿と上記基準原稿に対して向きが外向きである矢印とを含み、
上記縮小指示確認画面は、上記基準原稿と上記基準原稿に対して向きが内向きである矢印を含む請求項４に記載の画像形成装置。
【請求項６】
上記拡大指示確認画面は、基準原稿と、上記基準原稿を取り囲む枠を含み、
上記縮小指示確認画面は、上記基準原稿と上記基準原稿に取り囲まれる枠を含む請求項４に記載の画像形成装置。  
【請求項７】
上記確認画面生成手段は、上記基準原稿を取り囲む枠を時間の経過とともに大きくし、上記基準原稿に取り囲まれる枠を時間の経過とともに小さくする請求項６に記載の画像形成装置。  
【請求項８】
上記複写画像の印刷に用いられる複写紙のサイズを検知する複写紙検知手段を備え、
上記確認画面生成手段は、上記拡大指示確認画面に含まれる基準原稿に対する枠のサイズが、検知された最大の複写紙に対応するサイズになると、上記枠を初期の大きさに戻し、上記縮小指示確認画面に含まれる基準原稿に対する枠のサイズが、検知された最小の複写紙に対応するサイズ
になると、上記枠を初期の大きさに戻す請求項７に記載の画像形成装置。
【発明の詳細な説明】
【技術分野】
【０００１】
本発明は、複写機、複合機等の複写機能を備えた画像形成装置に関する。
【背景技術】
【０００２】
従来から、原稿を拡大又は縮小して複写することができる画像形成装置が製品化されている。このような画像形成装置は、特開平１０−５６５６４号公報に記載されているように、複写が行われる前に、ユーザが指定した拡大倍率又は縮小倍率や、複写紙のサイズ等を文字や数字で操作パネルに表示する。画像形成装置がこのような表示をすることで、自分の意図した拡大倍率又は縮小倍率や、複写紙のサイズが画像形成装置に認識されているかどうかをユーザは確認することができる。
【特許文献１】特開平１０−５６５６４号公報
【発明の開示】
【発明が解決しようとする課題】
【０００３】
しかしながら、拡大倍率又は縮小倍率や複写紙のサイズが文字や数字で表示されても、ユーザが、表示された文字や数字から、複写物が原稿に対してどの程度の大きさになるのかを想像することは困難である。したがって、ユーザの想像以上に大きい、又は小さい複写物が画像形成装置から排紙されることがある。想像以上に大きい、又は小さい複写物が排紙された場合、ユーザは、拡大倍率又は縮小倍率を再指定して複写のやり直しをする必要がある。このように複写のやり直しは、ユーザの手間となるだけでなく、複写紙やトナーなどを浪費する原因にもなる。
【０００４】
又、複写紙のサイズは、通常Ａ３、Ａ４、Ｂ４、Ｂ５等の特定サイズのみである。そのため、例えばＡ３サイズの原稿に描かれた画像の縦横を９８％に縮小して印刷する際に、縦横がＡ３サイズの９８％のサイズの複写紙がないため、複写紙として例えばＢ４サイズの複写紙が用いられる。このようにＢ４サイズの複写紙が用いられる場合、原稿に描かれた画像は９８％に縮小されるが、複写紙は原稿に用いられた用紙に対して縦横が９８％でないので、複写紙に対する複写画像が占める割合をユーザが想像することは困難である。そのため、ユーザの想像以上に大きい、又は小さい余白が複写物にできることがある。
【０００５】
拡大倍率又は縮小倍率の指定に上下或は左右のカーソルキー等、倍率を上げるキーと下げるキーの２種類のキーが用いられる場合がある。このような２種類のキーが用いられる場合、キーの種類によっては、何れのキーが倍率を上げるキーであるか下げるキーかをユーザが瞬時に判断することが困難な場合がある。
【０００６】
そこで、本発明は、正確且つ容易に拡大縮小処理をユーザが行うことができる画像形成装置を提供することを目的とする。
【課題を解決するための手段】
【０００７】
本発明の画像形成装置は、ユーザが容易に原稿に対する複写物のサイズを把握できるように、原稿と複写物のサイズを比較できる比較画像を液晶パネル等の表示手段に表示する。上記比較画像は、原稿と複写物のサイズを比較し易いように、例えば同一の縮小比で縮小された原稿と複写物の画像等が用いられる。比較画像の原稿又は複写物を表す画像は、原稿又は複写物の外縁だけであっても、原稿又は複写物に描かれる画像だけであってもよい。
【０００８】
原稿と複写物を表す画像が表示されることで、ユーザは、原稿に対する複写物のサイズを容易に想像することができる。そのため、想像以上に大きい、又は小さい複写物が画像形成装置から排紙されることがなく、複写のやり直しの手間が生じることや、複写紙やトナーの浪費を防ぐことができる。また、比較画像の複写物を表す画像から複写物に対する画像や余白の占める割合をユーザが把握することも容易となる。
【０００９】
又、表示された比較画像の原稿を表す画像と複写画像を表す画像の区別がつき易いように、比較画像の原稿を表す画像と複写画像を表す画像を異なる色で表示してもよい。  
【００１０】
さらに、複写物に用いることができる複写紙のサイズを把握しながら、ユーザが複写物の大きさを選択できるようにするために、比較画像を、原稿を表す画像と、複写物に用いることができる複写紙のサイズを表す画像としてもよい。
【００１１】
操作したキーが倍率を上げるキーか下げるキーかをユーザが瞬時に判断できるように、倍率を上げるキーが操作され、拡大指示がされたときは、拡大指示確認画面を表示し、倍率を下げるキーが操作され、縮小指示がされたときは縮小指示確認画面を表示手段に表示してもよい。
【００１２】
拡大指示確認画面は、例えば基準原稿とこの基準原稿に対して向きが外向きである矢印や、基準原稿とこの基準原稿を囲む枠などから構成する。縮小指示確認画面は、例えば基準原稿と基準原稿に対して向きが内向きである矢印や、基準原稿とこの基準原稿に囲まれる枠などから構成する。
【００１３】
拡大指示確認画面に表示される上記枠は、時間の経過と共に大きくしてもよいし、また、縮小指示確認画面に表示される上記枠は、時間の経過と共に小さくしたりしてもよい。枠の大きさを時間の経過と共に変更する場合、拡大指示確認画面に表示された基準原稿に対する上記枠の大きさが、複写物に用いることができる複写紙の最大サイズと対応する大きさとなると、上記枠を初期の大きさに戻すようにしてもよい。また、縮小指示確認画面に表示された基準原稿に対する上記枠の大きさが、複写物に用いることができる複写紙の最小サイズと対応する大きさとなると、上記枠を初期の大きさに戻すようにしてもよい。
【００１４】
このように、枠の大きさが、最大又は最小サイズの複写紙に対応する大きさになると、枠が初期の大きさに戻ることで、ユーザが、操作したキーに対応する機能だけでなく、複写物に用いることができる最大又は最小サイズの複写紙を把握することができる。
【発明の効果】
【００１５】
原稿と複写物を表す画像が表示されることで、ユーザは、原稿に対する複写物の大きさを容易に想像することができる。そのため、想像以上に大きい、又は小さい複写物が画像形成装置から排紙されることがなく、複写のやり直しの手間が生じることや、複写紙やトナーの浪費を防ぐことができる。
【００１６】
キーを操作した際に、画像形成装置に拡大指示又は縮小指示の何れに対応する操作キーを操作したのかユーザが瞬時に把握することができる。
【発明を実施するための最良の形態】
【００１７】
（実施の形態１）  
本発明の画像形成装置１００は、原稿を読み取って原稿を拡大又は縮小して印刷することができる。画像形成装置１００を用いて原稿を複写する場合、ユーザは、まず原稿をプラテンや自動原稿搬送装置に載置する。そして、ユーザは、図１に示す操作手段１０１を操作して、原稿に対する複写画像の倍率の指定を行う。以下では、上記操作手段１０１のユーザインターフェイスとして図２に示す操作パネル１２４に表示されるカーソルキー１２１、テンキー１２２、スタートキー１２３等を用いる場合について説明する。
【００１８】
操作パネル１２４には、倍率１２５が表示される。この倍率１２５は、初期状態では、１００％となっている。原稿を拡大又は縮小して印刷する場合、ユーザは、上下左右のカーソルキー１２１又はテンキー１２２等を操作して倍率１２５を変更する。変更された倍率１２５は、上記操作手段１０１によって常時複写画像生成手段１０３に入力される。
【００１９】
倍率１２５を所望の倍率に変更すると、ユーザは、操作パネル１２４に表示されたスタートキー１２３を押下する。スタートキー１２３が押下されると、上記操作手段１０１は、スタートキー１２３が押下された旨を原稿読取手段１０２に入力する。上記操作手段１０１は、上記原稿読取手段１０２にスタートキー１２３が押下された旨を入力すると、原稿読み取りのスタートキー１２３が押下された旨を示すフラグを記憶手段１１０に立てる。
【００２０】
スタートキー１２３が押下された旨が入力されると、上記原稿読取手段１０２は、プラテン又は自動原稿搬送装置に載置された原稿を読み取って、原稿画像を生成する。上記原稿読取手段１０２は、生成した原稿画像を複写画像生成手段１０３に入力する。
【００２１】
原稿画像が入力されると、上記複写画像生成手段１０３は、入力された原稿画像を倍率１２５で拡大又は縮小して複写画像を生成する。複写画像を生成すると、画像形成装置１００の給紙カセットに格納されている複写紙から複写物に用いる複写紙を選択する。
【００２２】
給紙カセットに格納されている複写紙は、複写紙検知手段１０９に検知される。上記複写紙検知手段１０９は、検知した複写紙のサイズを上記複写画像生成手段１０３に入力する。
【００２３】
上記複写画像生成手段１０３は、複写物に用いる複写紙として、複写画像の全体を印刷することができる最も小さいサイズの複写紙を選択する。複写紙を選択すると、上記複写画像生成手段１０３は、選択した複写紙に複写画像を印刷した時の複写物のプレビュー画像を生成する。プレビュー画像を生成すると、上記複写画像生成手段１０３は、プレビュー画像と上記原稿読取手段１０２から入力された原稿画像を比較画像生成手段１０５に入力する。
【００２４】
上記比較画像生成手段１０５は、入力されたプレビュー画像と原稿画像に基づいて比較画像を形成する。本実施の形態では、上記比較画像２０３は、図２に示すように、プレビュー画像２０２と原稿画像２０１を同一縮小比で縮小し、縮小したこれらの画像を重ねた画像となっている。プレビュー画像２０２と原稿画像２０１を区別し易いように、プレビュー画像２０２と原稿画像２０１を異なる色としてもよい。
【００２５】
比較画像２０３を生成すると、上記比較画像生成手段１０５は、生成した比較画像２０３を表示制御手段１０６に入力する。
【００２６】
上記表示制御手段１０６は、入力された比較画像２０３を表示手段１０７に表示する。本実施の形態では、上記表示手段１０７として、上記操作パネル１２４の一部を用いており、比較画像２０３は、図２に示すように操作パネル１２４の左側に表示される。図２では、比較画像２０３のプレビュー画像２０２は、複写物の外縁のみを表しているが、外縁に代えて複写物に描かれる画像のみや、外縁と複写物に描かれる画像の両方を表してもよい。又、図２では、比較画像２０３の原稿画像２０１は、原稿の外縁２0１ｂと原稿に描かれた画像２０１ａの両方を表しているが、原稿の外縁２０１ｂだけや原稿に描かれた画像２０１ａだけを表してもよい。  
【００２７】
原稿画像２０１とプレビュー画像２０２は、原稿画像と複写画像が同一縮小比で縮小された画像である。したがって、原稿画像２０１とプレビュー画像２０２のサイズ比は、上記倍率１２５となっているので、ユーザは、上記比較画像２０３を見れば、原稿に対する複写物の大きさを容易に想像することができる。
【００２８】
仮に、比較画像２０３を見て、複写物の大きさが自分の希望する大きさでないと判断した場合、ユーザは、再度カーソルキー２１１又はテンキー２１２等を操作して倍率１２５を変更する。  
【００２９】
上記のように、倍率１２５は、常時上記複写画像生成手段１０３に入力されているので、ここで変更された倍率１２５も上記複写画像生成手段１０３に入力される。変更された倍率１２５が入力されると、上記複写画像生成手段１０３は、変更された倍率１２５で既に上記原稿読取手段１０１から入力された原稿画像を拡大または縮小して複写画像を生成し、複写紙を選択して、プレビュー画像２０２を生成する。変更された倍率に基づいたプレビュー画像２０２を生成すると、上記複写画像生成手段１０３は、生成したプレビュー画像２０２と原稿画像２０１を上記比較画像生成手段１０５に入力する。  
【００３０】
上記比較画像生成手段１０５は、入力されたプレビュー画像２０２と原稿画像２０１に基づいて新たな比較画像２０３を生成し、上記のように新たに生成した比較画像２０３を表示制御手段１０６に入力する。新たに生成された比較画像２０３は、上記のように表示制御手段１０６によって操作パネル１２４に表示される。
【００３１】
このように倍率１２５を変更すると、変更した倍率１２５に基づいて生成された比較画像２０３が操作パネル１２４に表示される。ユーザは、比較画像２０３から複写物の大きさが所望する大きさであると判断できるまで、倍率１２５を変更して、画像形成装置１００に比較画像２０３の生成を繰り返し行わせる。
【００３２】
ユーザは、上記比較画像２０３から、複写物の大きさが所望する大きさであると判断した場合、スタートキー１２３を押下する。
【００３３】
上記記憶手段１１０内にフラグが立っている状態で、スタートキー１２３が押下された場合、上記操作手段１０１は、スタートキー２１３が押下された旨を上記複写画像生成手段１０３に通知する。
【００３４】
スタートキー１２３が押下された旨が通知されると、上記複写画像生成手段１０３は、プレビュー画像２０２と選択した複写紙のサイズを複写手段１０４に入力する。
【００３５】
プレビュー画像２０２と複写紙のサイズが入力されると、上記複写手段１０４は、入力されたサイズの複写紙を給紙カセットから取得して、プレビュー画像２０２を印刷し、複写物を生成する。
【００３６】
このように、比較画像２０３を見て複写物の大きさを確認してから複写物の生成が行われるので、ユーザの想像以上に大きい、又は小さい複写物が生成されることを防ぐことができる。
【００３７】
上記複写手段１０４は、複写物を生成すると、上記記憶手段１１０に立てられたフラグを消去する。
【００３８】
（実施の形態２）
実施の形態１では、縮小された原稿画像２０１とプレビュー画像２０２が比較画像２０３の内容となっている場合について説明したが、本発実施の形態では、図３に示すように縮小された原稿画像３０１と複写紙のみの画像３０２が比較画像３０３の内容となっている場合について説明する。
【００３９】
ユーザは、原稿をプラテンや自動原稿搬送装置に載置して、倍率１２５の変更を行わずにスタートキー１２３を押下する。スタートキー１２３が押下されると、上記操作手段１０１は、スタートキー１２３が押下された旨を上記原稿読取手段１０２と上記複写紙検知手段１０９に入力し、実施の形態１のように上記フラグを上記記憶手段１１０に立てる。
【００４０】
スタートキー１２３が押下された旨が入力されると、上記原稿読取手段１０２は、プラテン又は自動原稿搬送装置に載置された原稿を読み取って原稿画像を生成し、生成した原稿画像を上記複写画像生成手段１０３と上記比較画像生成手段１０５に入力する。
【００４１】
スタートキー１２３が押下された旨が入力されると、上記複写紙検知手段１０９は、画像形成装置の給紙セットに格納されている複写紙のサイズを検知する。上記複写紙検知手段１０９が検知した全種類の複写紙のサイズを上記比較画像生成手段１０５に入力する。
【００４２】
原稿画像と全種類の複写紙のサイズが入力されると、上記比較画像生成手段１０５は、入力された全種類の複写紙のサイズから、全種類の複写紙の画像を生成する。全種類の複写紙の画像を生成すると、上記比較画像形成手段１０５は、原稿画像と、全種類の複写紙の画像を同一の縮小比で縮小して、縮小した原稿画像３０１と全種類の複写紙の画像３０２を重ねた図３に示すような比較画像３０３を生成する。
【００４３】
上記比較画像生成手段１０５は、生成した比較画像３０３を上記表示制御手段１０６に入力する。生成された比較画像２０１は上記表示制御手段１０６によって操作パネル１２４に表示される。
【００４４】
操作パネル１２４には、縮小された原稿画像３０１と各複写紙の画像３０２が表示される。これにより、ユーザは、複写物に用いることができる各複写紙と原稿のサイズを比較することができる。ユーザは、画像が表示された複写紙から複写画像を印刷する複写紙を決めると、下記のようにして、カーソルキー１２１とスタート１２３を操作することで、ユーザが決めた複写紙に複写画像を印刷させることができる。
【００４５】
まず、ユーザは、所定のカーソルキー１２１を押下する。上記記憶手段１１０にフラグが立っている時にカーソルキー１２１が押下されると、上記操作手段１０１は、縮小された所定の複写紙の画像３０４を強調して表示するように上記表示制御手段１０６に指示する。上記表示制御手段１０６は、指示された縮小された複写紙の画像３０４を強調して表示させる。
【００４６】
所定の縮小された複写紙の画像３０４が強調して表示された状態で、カーソルキー１２１が押下されると、上記操作手段１０１は、縮小された他の複写紙の画像３０４を強調して表示するように上記表示制御手段１０６に指示する。上記表示制御手段１０６は、指示された他の複写紙の画像３０４を強調して表示する。
【００４７】
このようにカーソルキー１２１を押下することで、ユーザは、強調して表示させる縮小された複写紙の画像３０４を選択することができる。
【００４８】
ユーザは、複写物に用いる複写紙３０４を強調して表示させると、スタートキー１２３を押下する。縮小された所定の複写紙の画像３０４を強調して表示させる指示を上記表示制御手段１０６に出しているときに、スタートキー１２３が押下されると、上記操作手段１０１は、上記表示制御手段１０６に対して強調して表示している複写紙の画像３０４の基となる複写紙のサイズを上記複写画像生成手段１０３に通知するように指示する。この指示があると、上記表示制御手段１０６は、強調して表示している複写紙の画像３０４の基となる複写紙のサイズを上記用紙検知手段１０９に問合せる。上記表示制御手段１０６は、上記用紙検知手段１０９からサイズが通知されると、通知されたサイズを上記複写画像生成手段１０３に通知する。
【００４９】
上記複写画像生成手段１０３は、サイズが通知されると、原稿画像と通知されたサイズとの比を求める。上記複写画像生成手段１０３は求めた比で原稿画像を拡大又は縮小して複写画像を生成して、さらにプレビュー画像を生成する。プレビュー画像を生成すると、上記複写画像生成手段１０３は、生成したプレビュー画像を上記複写手段１０４に入力し、上記表示制御手段１０６から通知されたサイズを上記複写手段１０４に通知する。
【００５０】
上記複写手段１０４は、通知されたサイズの用紙にプレビュー画像を印刷して複写物を生成する。
【００５１】
以上のように、本実施の形態では、ユーザは、原稿と複写紙のサイズを比べながら、複写物に用いることができる複写紙を決定することができることで、ユーザの想像以上に大きい、又は小さい複写物が生成されることを防ぐことができる。
【００５２】
（実施の形態３）
複写する際の原稿に対する複写物の倍率の変更は、テンキーで変更する倍率を入力する方式でなく、上下或は左右のカーソルキー等の倍率を上げるキーと下げるキーの２種類のキーを用いて行う方式が採用される場合がある。倍率を上げるキーと下げるキーに左右のカーソルキーが用いられる場合、上下のカーソルキーが用いられる場合に比べて、何れのキーが倍率の上げるキーか下げるキーかを判断することはユーザにとって難しい。
【００５３】
そこでカーソルキー等の所定のキーを押下した時に、倍率が上がるのか下がるのかをユーザが瞬時に判断できるように、操作したカーソルキーが倍率を上げるキーか下げるキーかを瞬時に判断できる画像を操作パネルに表示してもよい。
【００５４】
本実施の形態においては、左のカーソルキーが倍率を上げたるためのキーとなっており、右のカーソルキーが倍率を下げるキーとなっている場合について説明する。
【００５５】
例えば画像形成装置４００を用いて原稿を拡大して印刷する場合、ユーザは、倍率を上げる左のカーソルキーを操作して倍率を上げなければならない。左のカーソルキーが押下されると、図４に示す操作手段４０１は、倍率を初期値（例えば、１００％）から所定量上げて、所定量上げた倍率を記憶する。倍率を記憶すると、上記操作手段４０１は、確認画面生成手段４１１に拡大指示確認画面の生成を指示し、複写画像生成手段４０３と表示制御手段４０６に記憶した倍率を通知する。
【００５６】
上記複写画像生成手段４０３は、複写のスタートキーが押下されると、その時点で入力されている倍率に基づいて原稿画像を拡大または縮小して複写紙に印刷する複写画像を生成する。上記表示制御手段４０６は、通知された倍率を画像形成装置４００に設けられた表示パネル等の表示手段４０７に表示する。
【００５７】
拡大指示確認画面の生成の指示があると、上記確認画面生成手段４１１は、図５（ａ）に示すような拡大指示確認画面５０１を生成する。図５（ａ）に示すように拡大指示確認画面５０１は、基準原稿５０２と、この基準原稿５０２に対して向きが外向きである４つの矢印５０３からなる。上記確認画面生成手段４１１は、生成した拡大指示確認画面５０１を上記表示制御手段４０６に入力する。上記表示制御手段４０６は、入力された拡大指示確認画面を上記表示手段４０７に表示する。基準原稿５０２に対して外向きの矢印５０３が表示されることで、ユーザは、自分が押下したカーソルキーが倍率を上げるキーであることを瞬時に判断することができる。
【００５８】
なお、右のカーソルキーが押下された場合、上記操作手段４０１は、倍率を初期値から所定量下げて、所定量下げた倍率を記憶する。倍率を記憶すると、上記操作手段４０１は、上記確認画面生成手段４１１に縮小指示確認画面の生成を指示し、上記複写画像生成手段４０３と上記表示制御手段４０６に記憶した倍率を通知する。縮小指示確認画面の生成の指示があると、上記確認画面生成手段４１１は、図５（ｂ）に示すような縮小指示確認画面５１１を生成する。図５（ｂ）に示すように縮小指示確認画面５１１は、基準原稿５１２と、この基準原稿５１２に対して向きが内向きである４つの矢印５１３からなる。上記確認画面生成手段４１１は、生成した縮小指示確認画面５１１を上記表示制御手段４０６に入力する。上記表示制御手段４０６は、入力された縮小指示確認画面５１１を上記表示手段４０７に表示する。基準原稿５１２に対して内向きの矢印５０３が表示されることで、ユーザは、自分が押下したカーソルキーが倍率を下げるキーであることを瞬時に判断することができる。
【００５９】
また、図６（ａ）に示すように、拡大指示確認画面５０１は、矢印５０３に代えて基準原稿５０２を囲む枠６０１を含むようにしてもよい。縮小指示確認画面５１１は、図６（ｂ）に示すように、矢印５１３に代えて基準原稿５１２に囲まれる枠６１１を含むようにしてもよい。              
【００６０】
（実施の形態４）
上記確認画面生成手段４１１は、上記拡大指示確認画面または縮小指示確認画面の生成が指示されてから拡大指示確認画面５０１または縮小指示確認画面５１１を作成するのではなく、実施の形態３に記載のように上記操作手段４０１が記憶する倍率に対応した拡大指示確認画面５０１または縮小指示確認画面５１１を作成するようにしてもよい。
【００６１】
倍率は、実施の形態３と同様に、カーソルキーの押下により増減される。上記操作手段４０１は、増減した倍率を記憶すると、記憶した倍率を上記確認画面生成手段４１１と上記表示制御手段４０６と上記複写画像生成手段４０３に入力する。
【００６２】
上記確認画面生成手段４１１は、上記拡大指示確認画面５０１や上記縮小指示確認画面５１１の枠６０１、６１１を入力される倍率に応じた大きさに生成する。例えば、上記確認画面生成手段４１１は、１００％以上の倍率が入力されると、基準原稿５０２に対するサイズ比が基準原稿５０２に対する入力された倍率となる拡大指示確認画面５０１の枠６０１を作成する。よって、倍率に応じた大きさの枠６０１が表示されるので、押下したキーが倍率を上げるキーであることが瞬時に分かると共に、複写物の大きさをユーザが容易に想像することができる。  
【００６３】
このように枠６０１のサイズが倍率に応じる場合、倍率を上げるカーソルキーが長時間押下されたり、何回も押下されて時間の経過と共に倍率が大きくなると、上記確認画面生成手段４１１が作成する枠６０１も大きくなる。そのため、倍率を上げるカーソルキーが長時間押下されたり連続して何回も押下されると、上記表示手段４０７に表示される枠は時間の経過と共に大きくなるので、ユーザは、押下したキーが倍率を上げるキーであることを瞬時に判断することができる。
【００６４】
なお、上記確認画面生成手段４１１は、図７（ａ）に示すように、倍率に関係なく枠６０１の内縁を基準原稿５０２の外縁と同じ位置とし、倍率が増加するにつれて枠６０１の外縁を大きくして、倍率の増加と共に枠６０１が基準原稿５０２の外側に広がる印象をユーザに与えるようにしてもよい。
【００６５】
一方、１００％未満の倍率が入力された場合、上記確認画面生成手段４１１は、基準原稿５１２に対するサイズ比が基準原稿５１２に対する入力された倍率となる縮小指示確認画面５１１の枠６１１を生成する。したがって、倍率を下げるカーソルキーが長時間押下されたり、連続して何回も押下されて時間の経過と共に倍率が小さくなると、上記確認画面生成手段４１１が作成する枠６１１も小さくなり、上記表示手段４０７に表示される枠６１１が小さくなるので、ユーザは、押下したキーが倍率を上げるキーであることを瞬時に判断することができる。  
【００６６】
また、上記確認画面生成手段４１１は、図７（ｂ）に示すように、倍率に関係なく枠６１１の外縁を基準原稿５１２の外縁と同じ位置とし、倍率が減少するにつれて枠６１１の内縁を小さくして、倍率の減少と共に枠６１１が囲む範囲が小さくなる印象をユーザに与えるようにしてもよい。
【００６７】
（実施の形態５）
原稿を拡大または縮小して複写することができる画像形成装置においては、原稿に対する複写画像の倍率の範囲はユーザが自由に指定できるようになっている。しかし、極端に大きい倍率が指定された場合、複写画像の全体が複写紙に収まらず、複写画像の一部が印刷されないことがある。また、極端に小さい倍率が指定された場合、複写紙に大きな余白ができ、非常に見難い複写物が生成される。
【００６８】
そこで、このような問題を解決するために、本実施の形態の画像形成装置４００は、給紙カセットに格納されている複写紙のサイズに基づいて、枠６０１、６１１のサイズが一定以上または一定以下となると枠６０１、６１１を初期のサイズに戻す。
【００６９】
本実施の形態では、上記操作手段４０１には、給紙カセットに格納されている複写紙のサイズを検知する複写紙検知手段４０９から給紙カセットに格納された全種類の複写紙のサイズが入力されるようになっている。さらに、上記操作手段４０１には、原稿のサイズを検知する原稿サイズ検知手段４１２から、プラテンや自動原稿搬送装置に載置された原稿のサイズが入力されるようになっている。
【００７０】
倍率を上げるキーや下げるキーがユーザに押下されると、上記操作手段４０１は、記憶している倍率を増加または減少させて記憶する。次に、上記操作手段４０１は、記憶した倍率で原稿を拡大した時の複写画像と原稿のサイズ比が、上記複写紙検知手段１０９から入力された最大サイズの複写紙と原稿のサイズ比より大きいかどうかを判断する。
【００７１】
複写画像と原稿のサイズ比が小さい場合、上記操作手段４０１は、上記確認画面生成手段４１１と上記表示制御手段４０６と上記複写画像生成手段４０３に変更後の倍率を入力する。複写画像と原稿のサイズ比が大きい場合、上記操作手段４０１は、記憶した倍率を１００％に戻し、上記確認面生成手段４１１と上記表示制御手段１０６と上記複写画像生成手段４０３に１００％の倍率を入力する。
【００７２】
本実施の形態においては、図８に示すように、倍率が１００％に戻ることで、複写紙より大きい複写画像が生成されること無く、且つユーザが給紙カセットに格納されている最大サイズの複写紙を把握することができる。
【００７３】
また、上記操作手段１０１は、増減または減少した倍率を記憶すると、記憶した倍率で原稿を拡大した時の複写画像と原稿のサイズ比が、上記複写紙検知手段１０９から入力された最小サイズの複写紙と原稿のサイズ比より大きいかどうかの判断も行う。
【００７４】
複写画像と原稿のサイズ比が大きい場合、上記操作手段４０１は、上記確認画面生成手段４１１と上記表示制御手段４０６と上記複写画像生成手段４０３に変更後の倍率を入力する。複写画像と原稿のサイズ比の方が大きい場合、上記操作手段４０１は、記憶した倍率を１００％に戻し、上記確認面生成手段４１１と上記表示制御手段と上記複写画像生成手段４０３に１００％の倍率を入力する。
【００７５】
本実施の形態においては、倍率が１００％に戻ることで、極端に小さい複写画像が生成されること無くなり、且つユーザが給紙カセットに格納されている最小サイズの複写紙を把握することができる。
【図面の簡単な説明】
【００７６】
【図１】本発明の画像形成装置の要部概略図である。
【図２】表示手段の模式図である。
【図３】比較画像の模式図である。
【図４】拡大指示確認画面と縮小指示確認画面の模式図である。
【図５】拡大指示確認画面と縮小指示確認画面の模式図である。
【図６】拡大指示確認画面と縮小指示確認画面の模式図である。
【図７】拡大指示確認画面と縮小指示確認画面の模式図である。
【図８】拡大指示確認画面と縮小指示確認画面の模式図である。
【符号の説明】
【００７７】
１００  ４００  画像形成装置
１０３  ４０３  複写画像生成手段
１０５  比較画像生成手段
１０６  ４０６  表示制御手段
１０９  ４０９  複写紙検知手段
４１１  確認画面生成手段
【図１】
2005144715.tif 000003
【図２】
2005144715.tif 000004
【図３】
2005144715.tif 000005
【図４】
2005144715.tif 000006
【図５】
2005144715.tif 000007
【図６】
2005144715.tif 000008
【図７】
2005144715.tif 000009
【図８】
2005144715.tif 000010